(57)【要約】【課題】対象者に伝達するべき伝達情報を用途に応じて種々構成することができ、対象者に確実に注意喚起を行うことができる表示パネル、その表示パネルを備えたパネル構造体、及びそのパネル構造体を備えた道路の表示パネル構造を提供する。【解決手段】表示パネルは、平板状のパネルの一方の表面に複数の凸部が形成され、凸部の集合体で対象者に伝達するべき情報を特定した伝達情報部が構成されている。凸部の表面には、少なくとも造膜樹脂と反射材とガラスビーズとからなる再帰反射性の塗膜部が設けられている。【選択図】図１
2018178532.tif 000002
【特許請求の範囲】
【請求項１】
平板状のパネルの一方の表面に複数の凸部が形成され、前記凸部の集合体で対象者に伝達するべき情報を特定した伝達情報部が構成されていることを特徴とする、表示パネル。
【請求項２】
前記凸部の表面には、少なくとも造膜樹脂と反射材とガラスビーズとからなる再帰反射性の塗膜部が設けられていることを特徴とする、請求項１に記載の表示パネル。
【請求項３】
前記平板状のパネルの表面には、複数の貫通孔が形成され、
前記凸部は、前記貫通孔に通す軸部と前記軸部の一端に設けられた頭部とを有する情報構成部材の前記頭部で構成されており、
前記塗膜部は、前記情報構成部材の頭部に設けられていることを特徴とする、請求項１又は２に記載の表示パネル。
【請求項４】
前記情報構成部材は、ボルトで構成されていることを特徴とする、請求項３に記載の表示パネル。
【請求項５】
前記凸部は、湾曲面を有することを特徴とする、請求項１〜４のいずれか一項に記載の表示パネル。
【請求項６】
前記凸部を形成した部分を除く前記パネルの表面には、前記凸部の色とは異なる色から成る着色層部が設けられていることを特徴とする、請求項１〜５のいずれか一項に記載の表示パネル。
【請求項７】
ベース部と、
前記ベース部の上面から上方へ立ち上がる支柱と、
前記支柱に取り付けられる請求項１〜６のいずれか一項に記載の表示パネルと、を備えていることを特徴とする、パネル構造体。
【請求項８】
前記表示パネルと前記支柱の組は、１つの前記ベースに対して複数並べて設けられていることを特徴とする、請求項７に記載のパネル構造体。
【請求項９】
請求項１〜６のいずれか一項に記載の表示パネル、又は請求項７若しくは８に記載のパネル構造体が、道路の側縁に設けられていることを特徴とする、道路の表示パネル構造。
【請求項１０】
前記表示パネルは、道路方向に対して２０度以上４０度以下の範囲内の角度に傾けて設けられていることを特徴とする、請求項９に記載の道路の表示パネル構造。
【発明の詳細な説明】
【技術分野】
【０００１】
本発明は、対象者に情報を伝える表示パネル、その表示パネルを備えたパネル構造体、及びそのパネル構造体を備えた道路の表示パネル構造に関するものである。
【背景技術】
【０００２】
従来、例えば道路等に設置されて自動車の運転者に注意喚起する表示パネルは、種々開示されており、既に実用に供されている。例えば特許文献１には、弾性変形可能な樹脂製の中心柱と、この中心柱の下部に設けられた基台部とで構成された道路標識柱が開示されている。この発明は、高さの異なる中心柱で構成された道路標識柱を道路に沿って複数本並べ、中心柱の集合体の全体形状により、所定の道路情報を表示する構成である。また、中心柱には、再帰反射塗料または再帰反射シートによる反射部が設けられている。
【先行技術文献】
【特許文献】
【０００３】
【特許文献１】特開２０１３−１４２２３６号公報
【発明の概要】
【発明が解決しようとする課題】
【０００４】
特許文献１に開示された道路標識柱は、中心柱の集合体の全体形状により所定の道路情報を表示できると記載されているが、構造上、矢印程度の簡易な道路情報しか表示できない。しかも、この道路標識柱は、角度によって見え方が異なるため、走行中に矢印であることが認識できず、自動車の運転者が見落としてしまう場合があり、注意喚起できる構成とは言い難い。
【０００５】
本発明は、上記のような課題を解決するためになされたものであり、対象者に伝達するべき伝達情報を用途に応じて種々構成することができ、対象者に確実に注意喚起を行うことができる表示パネル、その表示パネルを備えたパネル構造体、及びそのパネル構造体を備えた道路の表示パネル構造を提供することを目的とする。
【課題を解決するための手段】
【０００６】
上記従来技術の課題を解決するための手段として、本発明に係る表示パネルは、平板状のパネルの一方の表面に複数の凸部が形成され、前記凸部の集合体で対象者に伝達するべき情報を特定した伝達情報部が構成されていることを特徴とする。
【０００７】
本発明に係る表示パネルは、上記表示パネルにおいて、前記凸部の表面に、少なくとも造膜樹脂と反射材とガラスビーズとからなる再帰反射性の塗膜部が設けられていることを特徴とする。
【０００８】
本発明に係る表示パネルは、上記表示パネルにおいて、前記平板状のパネルの表面には、複数の貫通孔が形成され、前記凸部は、前記貫通孔に通す軸部と前記軸部の一端に設けられた頭部とを有する情報構成部材の前記頭部で構成されており、前記塗膜部は、前記情報構成部材の頭部に設けられていることを特徴とする。
【０００９】
本発明に係る表示パネルは、上記表示パネルにおいて、前記情報構成部材が、ボルトで構成されていることを特徴とする。
【００１０】
本発明に係る表示パネルは、上記表示パネルにおいて、前記凸部が、湾曲面を有することを特徴とする。
【００１１】
本発明に係る表示パネルは、上記表示パネルにおいて、前記凸部を形成した部分を除く前記パネルの表面に、前記凸部の色とは異なる色から成る着色層部が設けられていることを特徴とする。
【００１２】
本発明に係るパネル構造体は、ベース部と、前記ベース部の上面から上方へ立ち上がる支柱と、前記支柱に取り付けられる上記表示パネルと、を備えていることを特徴とする。
【００１３】
本発明に係るパネル構造体は、上記パネル構造体において、前記表示パネルと前記支柱の組が、１つの前記ベースに対して複数並べて設けられていることを特徴とする。
【００１４】
本発明に係る道路の表示パネル構造は、上記表示パネル又は上記パネル構造体が、道路の側縁に設けられていることを特徴とする。
【００１５】
本発明に係る道路の表示パネル構造は、上記道路の表示パネル構造において、上記表示パネルが、道路方向に対して２０度以上４０度以下の範囲内の角度に傾けて設けられていることを特徴とする。
【発明の効果】
【００１６】
本発明によれば、対象者に伝達するべき情報を特定した伝達情報部が、パネルの表面に形成した凸部の集合体として構成されるので、凸部の配置を変更することで用途に応じた様々な伝達情報部を構成することができ、例えば道路を走行する自動車の運転者に確実に注意喚起を行うことができる。
【図面の簡単な説明】
【００１７】
【図１】本発明の実施の形態に係る表示パネルを備えたパネル構造体の正面図である。
【図２】本発明の実施の形態に係る表示パネルを備えたパネル構造体の右側面図である。
【図３】本発明の実施の形態に係る表示パネルを備えたパネル構造体の平面図である。
【図４】図１に示したＡ線矢視断面の要部を拡大して示した要部拡大断面図である。
【図５】本発明の実施の形態に係る表示パネルの塗膜部を拡大して示した断面図である。
【図６】本発明の実施の形態に係る道路の表示パネル構造を示した平面図である。
【図７】本発明の実施の形態に係る道路の表示パネル構造を逆走行車側から見た説明図である。
【図８】本発明の実施の形態に係る道路の表示パネル構造を順走行車側から見た説明図である。
【発明を実施するための形態】
【００１８】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１９】
実施の形態．
図１は、本発明の実施の形態１に係る表示パネルを備えたパネル構造体の正面図である。図２は、本発明の実施の形態１に係る表示パネルを備えたパネル構造体の右側面図である。図３は、本発明の実施の形態１に係る表示パネルを備えたパネル構造体の平面図である。図４は、図１に示したＡ線矢視断面の要部を拡大して示した要部拡大断面図である。図５は、本発明の実施の形態に係る表示パネルの塗膜部を拡大して示した断面図である。本実施の形態に係るパネル構造体１は、図１〜図３に示すように、ベース部２と、ベース部２の上面から上方へ立ち上がる支柱３と、支柱３によって支持された表示パネル４と、を備えた構成である。
【００２０】
ベース部２は、例えば地中に埋め込まれた２つのコンクリートブロックで構成されている。コンクリートブロックの間隔は、例えば６００ｍｍ程度である。なお。ベース部２は、図示したコンクリートブロックに限定されず、例えば鋼材等で構成してもよい。また、コンクリートブロックの個数は、１つでもよいし、３つ以上でもよい。
【００２１】
支柱３は、例えばＨ形鋼で構成されており、下端部がベース部２に例えば２００ｍｍ程度埋め込まれて固定されている。支柱３の高さ寸法は、例えば２７５０ｍｍ程度である。なお、支柱３は、図示したＨ形鋼に限定されず、例えばＣ形鋼、角鋼管、丸鋼管又は他の材質等でもよい。要するに、表示パネル４を支持することができれば、他の部材でもよい。
【００２２】
表示パネル４は、厚さが例えば１．２ｍｍ〜６．０ｍｍ程度（好ましくは１．６ｍｍ程度）の鋼板で構成されている。表示パネル４は、一例として縦幅が２７００ｍｍ程度、横幅が１０００ｍｍ程度である。表示パネル４の左右の側縁辺は、図１に示すように、後方側に向かって略Ｌ字状に屈曲させて形成された接合部４１が設けられている。接合部４１には、上下方向に沿って一定の間隔をあけて横長孔が形成されている。表示パネル４は、接合部４１を支柱３のフランジに当てがい、ボルト等の接合部材４２を横長孔に通してフランジ部と接合部４１とを接合することにより、支柱３に取り付けられる。但し、表示パネル４を支柱３に取り付ける手段は、図示した形態に限定されない。また、詳細に図示することは省略したが、表示パネル４と支柱３の組は、１つのベース部２に対して複数並べて設けてもよい。
【００２３】
表示パネル４は、図１に示すように、一方の表面に複数の凸部５０が形成され、凸部５０の集合体で対象者に伝達するべき情報を特定した伝達情報部６が構成されている。具体的には、図４に示すように、表示パネル４の表面には、複数の貫通孔４３が形成され、貫通孔４３に通す軸部５１と軸部５１の一端に設けられた頭部５０とを有する情報構成部材５の頭部５０で凸部が構成されている。
【００２４】
本実施の形態では、情報構成部材５としてボルトを使用している。ボルト５は、メンテナンスが容易であり、使い勝手に優れているからである。つまり、図４に示すように、貫通孔４３に通した軸部５１をパネル４０の裏面からナット５２で締め付けることで、パネル４０に容易に取り付けることができ、しっかりと固定させることができる。なお、詳細に図示することは省略したが、情報構成部材５は、ボルトに限定されず、例えばピン部材等とし、パネル４０の裏面から軸部を固定する構成でもよい。または、パネル４０の貫通孔をネジ孔とし、情報構成部材５をネジ部材としてもよい。要するに、情報構成部材５は、貫通孔４３に通す軸部と軸部の一端に設けられた頭部とを有する構成であれば、他の部材であってもよい。
【００２５】
伝達情報部６の一例として、図示した実施の形態では、道路を逆走行する自動車の運転者に、逆走行であることを注意喚起するための伝達情報を構成している。具体的には、パネル４０の上下に情報構成部材５で「×印」を形成し、上下の「×印」の中間に「逆走」の文字を記した高輝度反射シール７を貼り付けた構成である。高輝度反射シール７は、再帰反射性を有しており、入射した光を入射した方向に反射させるものである。この「逆走」の文字は、情報構成部材５によって形成してもよい。また、伝達情報部６は、凸部５０の配置を変更して他の文字、記号、模様或いは図形等を形成し、対象者に様々な情報を伝達する構成とすることができる。
【００２６】
表示パネル４は、凸部５０を形成した部分を除くパネル４０の表面に、凸部５０の色とは異なる色から成る着色層部９が設けられている。着色層部９は、例えば赤色に塗装することで、表示パネル４の存在感を強調することができる。つまり、例えば道路を逆走行する自動車の運転者に、しっかり注意喚起を行うことができる。なお、着色層部９は、緑色にして周囲の森林に馴染んだ構成とし、景観を損なわないようにしてもよいし、他の色でもよい。
【００２７】
ボルト５の頭部５０には、図５に示すように、少なくとも造膜樹脂８０と反射材８１とガラスビーズ８２とからなる再帰反射性の塗膜部８が設けられている。再帰反射性の塗膜部８を有することにより、例えば道路を夜間走行する自動車のヘッドライトの光が塗膜部８に入射し、その入射した方向である自動車に向かって光を反射させることができる。つまり、夜間走行している自動車の運転者に、表示パネル４の伝達情報部６及び高輝度反射シール７をはっきりと示すことができる。
【００２８】
次に、再帰反射性の塗膜部８の構成について具体的に説明する。塗膜部８は、ボルト５の頭部５０にコーティングされた溶融亜鉛めっき５３の上から特殊前処理として造膜樹脂８０が塗布され、その造膜樹脂８０の上から反射材８１が塗布されている。そして、光を反射させる再帰反射ガラスビーズ８２が、反射材８１に上に塗布された構成である。
【００２９】
造膜樹脂８０は、実用的な光透過性を有する程度の透明性を有する材質が用いられる。例えば、熱可塑性樹脂、熱硬化性樹脂、湿気硬化型又は紫外線硬化型の樹脂等である。具体的には、アクリル系、ウレタン系、エポキシ系、エチレン酢酸ビニル系、ポリビニルアルコール系、シリコーン系、ポリエステル系、ポリエチレン系、ナイロン系、オレフィン系、天然ゴム系、アルキッド系、塩化ビニル系、フッ素系などの樹脂が挙げられる。これらの樹脂の共重合体も使用できる。中でも、アクリル樹脂、ウレタン樹脂、アクリルウレタン樹脂などが好ましく挙げられ、これらを１種用いあるいは２種以上併用することができる。
【００３０】
なお、熱硬化性樹脂の場合、熱硬化温度がガラスビーズ８２の機能を損なわない程度のものが好ましい。熱硬化温度が高過ぎると、加熱硬化処理において、ガラスビーズ８２が変形したり溶融したりして、再帰反射特性が損なわれるからである。具体的な熱硬化温度としては、例えば５５０℃以下である。
【００３１】
反射材８１は、例えば鱗片状、舌片状、薄片状などの片状の反射材が好ましいが、塗膜中に分散可能であり、かつ、反射性を有するものであれば特に限定されない。片状の反射材は、ガラスビーズ８２の球面に沿って配向し易く、塗膜中に反射材がランダムに存在する場合と比べて、再帰反射効率が高くなるからである。
【００３２】
反射材８１の粒径は、例えば１〜５００μｍであり、より好ましくは５〜５０μｍである。反射材８１の平均粒径は、例えば５〜２５μｍであり、より好ましくは１０〜２０μｍである。微細な反射材は、塗膜中に均一に分散されるので、反射機能が良好に発揮できるからである。
【００３３】
このような反射材としては、例えばマイカが挙げられる。マイカとしては、雲母を原料としたものや合成マイカなどである。一般的に、マイカの反射光は白色である。マイカ表面に、酸化チタンの被覆をしておくと、反射性能が高まる。反射材として、アルミニウムなどの表面反射性を有する金属、無機材料、鉱物なども使用できる。反射材が、着色されたものであれば、反射機能に加えて着色機能も発揮することができる。例えば、アルミニウム粒子は、シルバー色の反射光を出す。着色アルミニウム粒子は、その着色された色の反射光を出す。ノンリーフィングタイプのアルミニウム粒子は、表面酸化が起こり難く、良好な反射性を持続でき、使用に適したものとなる。
【００３４】
ガラスビーズ８２は、入射光をガラスビーズ８２内で屈折させてガラスビーズ球面に焦点を結ばせ、反射光となって再帰させる機能を有する。ガラスビーズ８２は、球形であることが理想的であるが、工業的に得られる程度の球形度を有していれば十分な再帰反射性を発揮できる。ガラスビーズ８２は、球形以外に例えば楕円体や長円体、多面体に近い形状でもあってもよい。これらの形状から成るガラスビーズは、入射光を反射光として再帰させる機能が球形に比べると劣るが、ある程度の再帰反射性を示すことができる。
【００３５】
なお、塗膜部８は、少なくとも造膜樹脂８０と反射材８１とガラスビーズ８２とを有していればよく、他の構成部材を含んで再帰反射性能を高めた構成でもよい。
【００３６】
次に、図６〜図８に基づいて、本実施の形態のパネル構造体を備えた道路の表示パネル構造について説明する。図６は、本発明の実施の形態に係る道路の表示パネル構造を示した平面図である。図７は、本発明の実施の形態に係る道路の表示パネル構造を逆走行車側から見た説明図である。図８は、本発明の実施の形態に係る道路の表示パネル構造を順走行車側から見た説明図である。
【００３７】
近年、例えば高速道路のサービスエリア又はパーキングエリアでは、退出路を通って本線に合流しなければならないにも関わらず、サービスエリア又はパーキングエリアへの進入路へ逆走行する事態が多発している。このような事態は、自動車の運転者が進入路だとは気が付かずに誤って逆走行してしまうケースや、意図的に逆走行するケースによって起こっている。このような逆走行を防止するために、例えばセンサー等で逆走行車を検知して注意喚起を行ったり、矢印を示した看板等で注意喚起を行ったりする方法が実施されている。しかし、自動車の運転者に逆走行であることを認識させてプレッシャーを与えるまでには至っておらず、現実的には逆走行を十分に防止できていない。また、センサー等で逆走行車を検知するとなると、設置費用及び維持管理誤差動制御が大変であり、コスト面において実施が困難となる場合がある。
【００３８】
そこで、本実施の形態の道路の表示パネル構造１００では、図６〜図８に示すように、上記構成のパネル構造体１が道路１０の両側縁に沿って、それぞれ４体ずつ設けられている。パネル構造体１は、図６及び図７に示すように、伝達情報部６を構成したパネル４０の表面が、逆走行する自動車１１の運転者に向くように設けられている。また、パネル構造体１は、道路１０の逆走行方向における手前側の側縁部を、該逆走行方向に対して外方へ２０度以上４０度以下の範囲内の角度θ（好ましくは３０度程度）に傾けて設けられている。
【００３９】
つまり、道路の表示パネル構造１００は、上記構成のパネル構造体１によって、例えば逆走行する自動車１１の運転者に強く注意喚起を行ってプレッシャーを与えることができ、危険な事故を未然に防止することができる。また、道路の表示パネル構造１００は、上記構成のパネル構造体１で構成しているので、例えば逆走行する自動車１１をセンサー等で検知して注意喚起を行う構成と比較して、設置費用が掛からず、維持管理の負担を軽減でき、非常に使い勝手がよい。
【００４０】
また、道路の表示パネル構造１００は、図８に示すように、順走行の自動車を運転する運転者の視界が、上記角度θに傾けて設けられたパネル構造体１によって遮られる範囲を最小限に留めている。つまり、道路の表示パネル構造１００は、順走行方向に向かって自動車を運転する運転者の視界を確保することができ、且つ逆走行方向に向かって自動車１１を運転する運転者には強くプレッシャーを与えることができるという効果を両立させた構造となっている。しかも、道路の表示パネル構造１００は、夜間走行において、ヘッドライトの光が再帰反射性の塗膜部８に入射して、そのまま運転者に反射させることができるので、逆走行する自動車１１の運転者に強くプレッシャーを与えることができる。
【００４１】
なお、本実施の形態の道路の表示パネル構造１００は、道路１０を車道とした構成を例に説明したが、車道のみならず例えば歩道等にパネル構造体１を設置した構成でもよい。つまり、本実施の形態の道路の表示パネル構造１００の道路１０とは、歩道等を含むものである。
【００４２】
また、詳細に図示することは省略したが、道路の表示パネル構造１００は、上記構成の表示パネル４を道路１０の側縁に沿って設けた構成でもよい。この場合、表示パネル４は、例えば道路１０の側縁に沿って設けられた防音壁、防護壁、建物の壁面等、又はその他の構造物に取り付けるものとする。
【００４３】
また、詳細に図示することは省略したが、道路の表示パネル構造１００は、異なる伝達情報部６又は着色層部９で構成した種々のパネル構造体１を、道路１０の側縁に沿って配置したり、或いは該パネル構造体１を交互に配置したりするなど、設置状況に合わせて多様な組み合わせで実施することもできる。更に、道路の表示パネル構造１００は、パネル構造体１を道路１０の側縁に沿ってジグザグ状に配置した構成でもよい。
【００４４】
また、図示した道路の表示パネル構造１００では、パネル構造体１を道路１０の両側縁に沿ってそれぞれ４体ずつ設けた構成を示したが、これに限定されない。表示パネル構造１００は、パネル構造体１を１体以上設ければよく、また一方の側縁にのみ設けた構成でよい。要するに、表示パネル構造１００は、道路１０の形状及び実施の状況に応じて、パネル構造体１の設置本数及び角度を適宜変更して設けるものとする。
【００４５】
上述したように、本実施の形態に係る表示パネル４は、平板状のパネル４０の一方の表面に複数の凸部５０が形成され、凸部５０の集合体で対象者に伝達するべき情報を特定した伝達情報部６が構成されている。よって、表示パネル４は、凸部５０の配置を変更することで、用途に応じた様々な伝達情報部６を構成することができ、例えば道路を走行する自動車の運転者に確実に注意喚起を行うことができる。
【００４６】
また、凸部５０の表面には、少なくとも造膜樹脂８０と反射材８１とガラスビーズ８２とからなる再帰反射性の塗膜部８が設けられている。よって、表示パネル４は、昼夜問わず道路１０を走行する自動車１１の運転者等に注意喚起を行うことができる。
【００４７】
また、平板状のパネル４０の表面には、複数の貫通孔４３が形成されている。凸部５０は、貫通孔４３に通す軸部５１と軸部５１の一端に設けられた頭部５０とを有する情報構成部材５の頭部５０で構成されている。そして、塗膜部８は、情報構成部材５の頭部５０に設けられている。よって、表示パネル４は、パネル４０とは別に製造した塗膜部８を有する情報構成部材５を、パネル４０に形成した貫通孔４３へ取り付けるだけの簡易な構成なので、製造コストを削減することができる。また、情報構成部材５の一部が破損等した場合には、破損した部分の情報構成部材５のみを新しい情報構成部材５と交換すればよいので、維持管理が容易であり、経済的である。
【００４８】
また、情報構成部材５は、ボルトで構成することにより、パネル４０の背面側からナット５２で締め付けてしっかりと固定することができる。よって、表示パネル４は、使用中に何らかの衝撃等を受けても、情報構成部材５がパネル４０から外れることがないため、対象者に確実に情報を伝達することができる。
【００４９】
また、凸部５０は、湾曲面を有することにより、反射面を増やすことができるので、例えば、夜間に道路１０を走行する自動車１１の運転者に効果的に注意喚起を行うことができる。
【００５０】
また、凸部５０を形成した部分を除くパネル４０の表面には、凸部５０の色とは異なる色から成る着色層部９が設けられている。よって、表示パネル４は、例えば赤色等の目立つ色で着色層部９を構成することで、存在を対象者に強調することができ、例えば道路１０を逆走行する自動車１１の運転者に効果的にプレッシャーを与えることができる。
【００５１】
また、本実施の形態に係るパネル構造体１は、ベース部２と、ベース部２の上面から上方へ立ち上がる支柱３と、支柱３に取り付けられる上記表示パネル４と、を備えた、簡易でシンプルな構成なので、部材点数が少なくて済み、製造コストを抑えることができ、更にメンテナンスも容易となる。パネル構造体１は、１つのベース部２に対して表示パネル４と支柱３の組を複数並べて設けたユニットとして構成することにより、例えば道路１０等の側縁に沿って設置する場合の設置作業の負担を軽減することができる。
【００５２】
また、本実施の形態に係る道路の表示パネル構造１００は、上記構成の表示パネル４又はパネル構造体１が、道路１０の側縁に設けられた構成である。よって、表示パネル構造１００は、道路１０を走行する自動車１１の運転者に、昼夜問わず、しっかりと注意喚起を行ってプレッシャーを与えることができるので、危険な事故を未然に防止することができる。
【００５３】
また、本実施の形態に係る道路の表示パネル構造１００は、表示パネル４が道路方向に対して２０度以上４０度以下の範囲内の角度θに傾けて設けられている。よって、この表示パネル構造１００は、順走行方向に向かって自動車を運転する運転者の視界を確保することができ、且つ逆走行方向に向かって自動車１１を運転する運転者にはしっかりと注意喚起を行ってプレッシャーを与えることができる。
【００５４】
以上に本発明を実施の形態に基づいて説明したが、本発明は上述した実施の形態の構成に限定されるものではない。例えば、凸部５０は、パネル４０の表面を裏面から凹ませて形成した構成でもよいし、凸状部材をパネル４０の表面に接着させた構成でもよい。この場合では、凸部５０としたパネル４０の表面に、再帰反射性の塗膜部８が設けられる。また、表示パネル４の裏面は、順走行する運転者或いは周囲の歩行者等に、例えば案内サービス等の伝達情報を表す等、有効活用することもできる。要するに、いわゆる当業者が必要に応じてなす種々なる変更、応用、利用の範囲をも本発明の要旨（技術的範囲）に含むことを念のため申し添える。
【符号の説明】
【００５５】
１  パネル構造体、２  ベース部、３  支柱、４  表示パネル、５  情報構成部材（ボルト）、６  伝達情報部、７  高輝度反射シール、８  塗膜部、９  着色層部、１０  道路、１１  自動車、４０  パネル、４１  接合部、４２  接合部材、４３  貫通孔、５０  凸部（頭部）、５１  軸部、５２  ナット、５３  溶融亜鉛めっき、８０  造膜樹脂、８１  反射材、８２  ガラスビーズ、１００  表示パネル構造。
【図１】
2018178532.tif 000003
【図２】
2018178532.tif 000004
【図３】
2018178532.tif 000005
【図４】
2018178532.tif 000006
【図５】
2018178532.tif 000007
【図６】
2018178532.tif 000008
【図７】
2018178532.tif 000009
【図８】
2018178532.tif 000010